(57)【要約】      （修正有）【課題】インターネットを通じて不特定多数の者からクイズ問題を募集する際に同じクイズ問題や不適切なクイズ問題が登録されることを防ぎ、クイズ・コンテンツとしての信頼性を保ち、データベースの負担を軽減する。【解決手段】インターネット上にて受け付けるクイズ問題を文字による問題に限り、不適切な言葉を専用の辞書で検索し、不適切な言葉を含む場合は登録を受け付けない、さらに回答を択一問題とし、主語あるいは疑問詞といった言葉ごとにデータベースに収納し、新たに登録しようとするクイズ問題の正解又は主語がデータベースの中に存在しないかを検索することで重複するクイズ問題の登録を未然に防ぐようにした。【選択図】  図１
2006023708.tif 000002
【特許請求の範囲】
【請求項１】
インターネット上にて繋がっているクイズ問題登録者の端末機とクイズ・サーバを備え、クイズ問題登録者の端末機にクイズ問題入力フォームを表示させ、「主語」と「接続詞」と「本文」と「疑問詞」と「正解」と「ｎ個数の間違った回答」に分けてテキスト入力させるクイズ・サーバ内のクイズ入力装置と、クイズ・サーバ内にクイズ問題を「主語」と「接続詞」と「本文」と「疑問詞」と「正解」と「ｎ個数の間違った回答」に分けてテキスト・バッファに一時保存する一時保存装置と、一時保存装置にあるクイズ問題の正解と同じテキスト・データをクイズ・サーバ内の正解語群に既に保存しているかを一時保存装置にあるテキスト・データを用いて差分して、検査する正解検査装置と、一時保存装置にあるクイズ問題の主語と同じテキスト・データがクイズ・サーバ内の主語群に既に保存しているデータを呼び出して差分し、検査する主語検査装置と、一時保存装置にあるクイズ問題の正解と主語と同じテキスト・データをクイズ・サーバ内に既に保存していた場合には、保存させず、一時保存装置にある正解あるいは、主語の両方のテキスト・データがクイズ・サーバ内に保存していない場合と、一時保存装置にある正解あるいは、主語のいずれか一方のみと同じテキスト・データをクイズ・サーバ内に既に保存している場合は、一時保存装置にあるクイズ問題をクイズ・サーバ内に保存する保存装置からなることを特徴とするクイズ問題の重複登録防止システム。
【請求項２】
インターネット上にて繋がっているクイズ問題登録者の端末機とクイズ・サーバを備え、クイズ問題登録者の端末機に未登録か既に登録済みかを選択させるメニューを表示させ、未登録の場合は、会員入会フォームをクイズ問題登録者の端末機に表示させ、少なくとも名前と電子メール・アドレスとパスワードを入力させ、入力された情報をクイズ・サーバが受け取るとクイズ・サーバ内のＩＤ割付・送信装置が会員情報を保存すると共に過去に送信したＩＤとは異なるＩＤをクイズ登録者の端末機へ電子メールで送信し、既に登録している場合は、ＩＤとパスワードを入力させるＩＤ・パスワード入力フォームを会員の端末機に表示させ、ＩＤとパスワードを入力・送信させ、クイズ・サーバ内の会員確認装置によって受け取ったＩＤとパスワードを用いてクイズ・サーバ内の会員情報と差分し、同じテキスト・データを会員情報の中に保存していることを確認し、クイズ問題登録者の端末機にクイズ問題入力フォームを表示させ、テキスト入力させ、送信させるクイズ入力装置と、送信させたクイズ問題に未記入項目がないかをＮＵＬＬコードの存在を用いて検査する入力漏れ検査装置と、クイズ・サーバ内にクイズ問題を「主語」と「接続詞」と「本文」と「疑問詞」と「正解」と「ｎ個数の間違った回答」に分けてテキスト・バッファに一時保存する一時保存装置と、一時保存装置にあるクイズ問題のテキスト・データに不適切な用語が含まれていないかをテキスト・データによって保存されている辞書機能を用いて検査する不適切用語検査装置と、一時保存装置にあるクイズ問題の正解と同じテキスト・データをクイズ・サーバ内の正解語群に既に保存しているかを検査する正解検査装置と、一時保存装置にあるクイズ問題の主語と同じテキスト・データをクイズ・サーバ内の主語群に既に保存しているかを検査する主語検査装置と、一時保存装置にあるクイズ問題の「主語」と「接続詞」と「本文」と「疑問詞」と「正解」と「ｎ個数の間違った回答」をひとつの問題として関連付けるコードを個々の保存データに付す関連付け装置と、一時保存装置にあるクイズ問題の「主語」と「接続詞」と「本文」と「疑問詞」と「正解」と「ｎ個数の間違った回答」に同一の保存時間コードを付す時間付け装置と、一時保存装置にあるクイズ問題にクイズ問題登録者のＩＤを付してクイズ・サーバ内の個々の収容スペースに保存する保存装置からなることを特徴とするクイズ問題の重複登録防止システム。
【請求項３】
インターネット上にて繋がっている端末機からクイズ・サーバへクイズ問題を登録させるクイズ問題の重複登録防止システムとテキスト・データ登録方法において、インターネットを通じてクイズ問題登録者に端末機からクイズ・サーバへ接続させる登録サーバ接続ステップと、クイズ・サーバへ接続後、クイズ問題登録者の端末機にクイズ問題入力フォームを表示させ、クイズ問題の「主語」と「接続詞」と「本文」と「疑問詞」と「正解」と「ｎ個数の間違った回答」を個別にテキスト入力と送信をさせるクイズ入力ステップと、クイズ問題の「主語」と「接続詞」と「本文」と「疑問詞」と「正解」と「ｎ個数の間違った回答」を個別にテキスト・バッファに一時保存する一時保存ステップと、一時保存しているクイズ問題の正解と同じテキスト・データが既にクイズ・サーバ内の正解語群に保存しているかを検査する正解検査ステップと、正解検査ステップにて、同じ正解のテキスト・データを保存していた場合に、同じ正解のテキスト・データを持つクイズ問題を対象に、一時保存しているクイズ問題の主語のテキスト・データと同じテキスト・データを主語群に保存しているかを検査する主語検査ステップと、正解検査ステップ及び主語検査ステップにて同じテキスト・データを保存していなかった場合は、テキスト・バッファに一時保存しているクイズ問題の「主語」と「接続詞」と「本文」と「疑問詞」と「正解」と「ｎ個数の間違った回答」をクイズ・サーバ内の個別の収納スペースにテキスト保存する、あるいは正解検査ステップにて、一時保存している正解と主語いずれか一方のテキスト・データと同じテキスト・データをクイズ・サーバに保存していた場合は、テキスト・バッファに一時保存しているクイズ問題の「主語」と「接続詞」と「本文」と「疑問詞」と「正解」と「ｎ個数の間違った回答」をクイズ・サーバ内の個別の収納スペースにテキスト保存する、あるいは、正解検査ステップにて正解と主語の両方のテキスト・データと同じテキスト・データをクイズ・サーバに保存していた場合は、一時保存しているクイズ問題をクイズ・サーバに保存させない保存ステップからなることを特徴とするクイズ問題のテキスト・データ登録方法。
【請求項４】
インターネット上にて繋がっている端末機からクイズ・サーバへクイズ問題を登録させるクイズ問題の重複登録防止システムとテキスト・データ登録方法において、インターネットを通じてクイズ問題登録者の端末機からクイズ・サーバへ接続させる登録サーバ接続ステップと、クイズ・サーバへ接続後、既に登録しているか未登録かを選択させ、未登録の場合は、入会フォームを端末機に表示させ、少なくとも名前と電子メール・アドレスとパスワードを入力させ、送信させる会員登録ステップと、会員登録情報を受け取ると会員情報をテキスト・データで保存し、既に送信したＩＤとは異なるＩＤをクイズ問題登録者の端末機へ電子メールを通じて送信するＩＤ割付・送信ステップと、既に登録している場合は、テキスト入力ボックスにＩＤとパスワードを入力させ、送信させ、クイズ・サーバ内の会員情報と差分し、既に保存しているかを確認する会員登録確認ステップと、会員登録確認後、クイズ問題登録者の端末機にクイズ問題入力フォームを表示させるクイズ入力ステップと、クイズ問題登録者の端末機に表示させたクイズ問題入力フォームにクイズ問題の「主語」と「接続詞」と「本文」と「疑問詞」と「正解」と「ｎ個数の間違った回答」を個別にテキスト入力させ、送信させると未記入項目の有無を示すＮＵＬＬコードの存在を検査する入力漏れステップと、ＮＵＬＬコードを受信しない場合にクイズ問題の「主語」と「接続詞」と「本文」と「疑問詞」と「正解」と「ｎ個数の間違った回答」を個別にテキスト・バッファに一時保存する一時保存ステップと、一時保存したクイズ問題に不適切な用語が含まれていないかをクイズ・サーバ内のテキスト・データからなる辞書機能を用いて差分し、検査する不適切用語検査ステップと、辞書に含まれる用語と同一の用語がクイズ問題に含まれていない場合に一時保存しているクイズ問題の正解と同じテキスト・データがクイズ・サーバ内の正解語群に既に保存しているかを差分して検査する正解検査ステップと、正解検査ステップにて、正解と同じテキスト・データのクイズ問題を保存していた場合に、同じ正解のテキスト・データを持つクイズ問題を対象に一時保存しているクイズ問題の主語と同じテキスト・データを保存しているかを差分し、検査する主語検査ステップと、主語検査ステップにて同じテキスト・データを保存していた場合に正解と主語が同じクイズ問題を既にクイズ・サーバ内に保存していることから、関連付けステップへ進ませない拒否ステップと、正解検査ステップ及び主語検査ステップにて同じテキスト・データを保存していない場合は、テキスト・バッファに一時保存しているクイズ問題の「主語」と「接続詞」と「本文」と「疑問詞」と「正解」と「ｎ個数の間違った回答」をひとつのクイズ問題として関連付けるコードを付す関連付けステップと、一時保存しているクイズ問題の「主語」と「接続詞」と「本文」と「疑問詞」と「正解」と「ｎ個数の間違った回答」に同じ保存時間コードを付す時間付けステップと、一時保存しているクイズ問題にクイズ問題登録者のＩＤを付してクイズ・サーバ内の個別の収納スペースにテキスト保存する保存ステップからなることを特徴とするクイズ問題のテキスト・データ登録方法。
【発明の詳細な説明】
【技術分野】
【０００１】
本発明は、インターネットを利用したクイズ問題の登録及び重複登録防止に関するものである。
【背景技術】
【０００２】
従来のテキスト検索システムあるいはプログラムは、単語あるいは文節を持ってインターネット上にあるホームページあるいはデータベースからヒットしたものを表示させるために考えられていた。
すなわち登録を基準とするのではなく、既にあるインターネット上の膨大な情報から関連していると思われるものをいかに表示させるかということに視点が置かれている。
さらにインターネットでなくとも電話番号からユーザーの住所などを表示させるといったプログラムは広く普及しているがこれらのシステムは、入力者が顧客管理を行うためのプログラムに限られていた。
それは、電子辞書におけるプログラムも同様である。既に登録されている単語から関連している単語あるいは文章を表示させるものである。
また同じデータを重複登録することを省く手段としては、個人データなどを登録するに当たり、既に登録されている場合は、データベースの情報と照らし合わせて省くものがあったがデータの対象となるのは個人データに関するものであった。
【特許文献１】特開２００１−１５５０３２号公報
【発明の開示】
【発明が解決しようとする課題】
【０００３】
インターネット上にて不特定多数の者が各々クイズ問題を作成し、データベースに登録しようとする際に故意あるいは偶然に同じクイズ問題が登録されることが考えられた。
また無意識に今年や来年など、出題する時、すなわちクイズ問題を解こうとする者がクイズ問題に接する時を無視した言葉や出題を受けた者が不愉快になる言葉を含むクイズ問題を登録してしまう危険性がある。
テストを含む問題集を編纂するに当たっては、人為的な取り決めに頼ることとなり、当初より同じ問題を登録することを省くシステムとはなっていない。
【特許文献１】では、インターネット技術者検定試験問題公募方法が登録受付を行った問題に対し、人為的に審査するのに対し、本発明は、クイズ・サーバに実装された辞書機能及びすでに登録されているクイズ問題と照らし合わせることにより、同一問題の登録を防ぐことを可能にしている。仮に同一の問題が登録されていても人為的な検査では、複数人が検査する際に登録されている同じ問題が異なる検査者の目に触れ、同一のものではないと判断してしまう危険性が生じる。  本発明の目的は、不特定多数の者にクイズ問題を作成させ、インターネット上のサーバに登録させる時に同一の問題、あるいは不適切な問題が登録されることを防ぐものである。
【課題を解決するための手段】
【０００４】
本発明は、インターネット上にて不特定多数のクイズ問題登録者にクイズ問題の登録を行わせるために、クイズ問題登録者の端末機１０とクイズ・サーバ３０をインターネット２０で繋ぎ、クイズ・サーバ内に会員確認装置３３と会員登録装置３１とＩＤ割付・送信装置３２とクイズ入力装置３４とクイズ入力洩れ検査装置３５とクイズ一時保存装置３６と不適切用語検査装置３７と正解検査装置３８と主語検査装置３９と関連付け装置４０と時間付け装置４１と保存装置４２を装備した。
【０００５】
登録するクイズ問題は、文字情報による択一問題に限定し、専用の入力フォームにもとづいて「主語」と「接続詞」と「本文」と「疑問詞」と「正解」と「ｎ個数の間違った回答」を個別のテキスト入力ボックスに入力させ、一時保存する。
一時保存したテキスト・データに対して、クイズ・サーバ内にある不適切な言葉を収納した辞書を用いて、出題する時を想定していないクイズ問題や出題された者に不愉快な感情を抱かせる言葉を含むクイズ問題を登録させないようにした。
また既に登録しているクイズ問題の正解及び主語と登録しようとする正解及び主語を照らし合わせ、両項目が合致した場合は、同じクイズ問題であると判断し登録をさせないようにした。
【発明の効果】
【０００６】
本発明は、クイズ・サーバに保存する日時をクイズ問題のデータに付して保存することから一定時間を超えると自動的に古い登録のものより削除するように設定することも可能であり、クイズ登録者のＩＤを付してクイズ問題を保存することでクイズ登録者毎の一括削除も可能である。
結果、常にデータベースの新陳代謝を図り、データベースの容量が増えることを避け、負担軽減を図っている。
【０００７】
インターネットを通じて誰もが出題者になれる環境を整備することにより、単なるクイズ・コンテンツの提供だけでなく、入学試験や資格試験の出題や試験問題の募集にも応用できる。たとえば大学受験のためのセンター試験に応用すると本年度大学合格者が問題を作成し、次年度の受験者が携帯電話やコンピュータを通じて力試しをするといったことも可能になる。
出題者に利用料の一部を還元すれば新しい就労形態を示すことにも繋がる。
【発明を実施するための最良の形態】
【０００８】
図１において、インターネット２０に繋がっている個々のクイズ問題登録者の端末機１０とクイズ・サーバ３０からなり、クイズ・サーバ３０にはクイズ入力装置３４とクイズ一時保存装置３６と正解検査機能３８と主語検査装置３９と保存装置４２を実装している。
クイズ問題を登録させる場合に端末機１０を用いてインターネット２０を通じてクイズ・サーバ３０に繋げさせる。
【０００９】
クイズ問題登録者の端末機１０にクイズ問題登録フォームを表示させるとクイズ問題登録者に作成したクイズ問題の「主語」と「接続詞」と「本文」と「疑問詞」と「正解」と「ｎ個数の間違った回答」を個別の入力ボックスに入力させ、登録ボタンを押させるとクイズ一時保存装置３６によってテキスト・バッファに一時保存する。
一時保存したクイズ問題をクイズ・サーバ３０に備えた正解検査装置３８をもって、一時保存したクイズ問題の正解を示すテキスト・データと同じテキスト・データがクイズ・サーバ３０の正解語群に既に保存していないかをテキスト・バッファに蓄えたテキスト・データを用いて差分し、検査する。
正解と同じテキスト・データを保存していない場合は、保存装置４２によってクイズ・サーバ３０に保存する。
【００１０】
正解検索装置３８によって、クイズ・サーバ３０に正解と同じテキスト・データを既に保存していた場合は、同じテキスト・データを持つクイズ問題に対し、テキスト・バッファに一時保存している主語を示すテキスト・データと同じテキスト・データが主語群に保存していないかを主語検索装置３９によって検査する。
一時保存した主語と同じテキスト・データを保存していない場合は、保存装置４２によってクイズ・サーバ３０に保存する。
一時保存した正解と同じテキスト・データがクイズ・サーバ３０のテキスト・データの正解群に既に保存していた場合、同じ正解を持つクイズ問題を対象にさらに一時保存した主語と同じテキスト・データを既に保存していた場合は、登録されようとするクイズ問題と同じクイズ問題を既にクイズ・サーバ３０が保存していると判断し、登録を許可しないクイズ問題の重複登録防止及びテキスト・データ登録システムである。
【００１１】
図２において、インターネット２０上に繋がっている個々のクイズ問題登録者の端末機１０とクイズ・サーバ３０からなり、クイズ・サーバ３０には会員登録装置３１とＩＤ割付・送信装置３２と会員確認装置３３とクイズ入力装置３４とクイズ入力漏れ検査装置３５とクイズ一時保存装置３６と不適切用語検査装置３７と正解検査装置３８と主語検査装置３９と関連付け装置４０と時間付け装置４１と保存装置４２を実装している。
【００１２】
クイズ問題登録者にクイズ問題を登録させる場合に端末機１０からインターネット２０を通じてクイズ・サーバ３０に繋がせるとクイズ・サーバ３０がＩＤとパスワードを入力させるテキスト入力ボックスをクイズ問題登録者の端末機１０に表示させ、クイズ問題登録者にＩＤとパスワードを入力させ、送信させるとクイズ・サーバ３０の会員情報と差分し、会員確認を行う。
会員確認装置３３によって既に登録している情報から登録者情報を確定する。
入力させたＩＤとパスワードがクイズ・サーバ３０の会員情報の中に保存していない場合は、会員入会を可能にさせる会員登録フォームを会員登録装置３１からクイズ問題登録者の端末機１０に表示させ、少なくとも名前と電子メール・アドレスとパスワードをクイズ問題登録者に入力させ、送信させると受信したクイズ・サーバは、ＩＤ割付・送信装置３２が過去に送信したＩＤとは異なるＩＤを登録者の端末機１０へ電子メールを用いて送付する。
【００１３】
クイズ・サーバがクイズ問題登録者の端末機１０にクイズ問題登録フォームを表示させるとクイズ問題登録者に作成したクイズ問題の「主語」と「接続詞」と「本文」と「疑問詞」と「正解」と「ｎ個数の間違った回答」を個別の入力ボックスに入力させ、登録ボタンが押させるとクイズ一時保存装置３６によってテキスト・バッファに一時保存する。
一時保存したクイズ問題をクイズ・サーバ３０に備えた不適切用語検索装置３７と差分し、不適切な用語を含んでいないかを差分し、検査する。
不適切な用語とは、昨日、今日、明日、昨年、今年、来年、あっち、こっち、向こうなど、クイズ問題が出題される時によっては不適当となる言葉の一群を指し、あらかじめシステム管理者によって辞書の中にテキスト・データとして蓄えているものであり、クイズ問題を読む者に不快な感覚を与える差別用語なども不適切用語として蓄えている。
不適切な用語を含まないクイズ問題は、正解検査装置３８をもって、一時保存したクイズ問題の正解を示すテキスト・データと同じテキスト・データがクイズ・サーバ３０の正解語群に既に保存していないかを差分し、検索する。
【００１４】
一時保存した正解と同じテキスト・データをもつクイズ問題を保存していない場合は、一時保存している各テキスト・データをひとつのクイズとして関連付ける情報を関連付け装置４０によって個々のテキスト・データに付し、時間付け装置４１によって同じ保存日時を一時保存している個々のテキスト・データに付し、さらに登録者のＩＤコードを付して保存装置４２によってクイズ・サーバに保存する。
【００１５】
正解検索装置３８によって、一時保存している正解と同じテキスト・データをクイズ・サーバ３０に既に保存していた場合は、同じ正解を持つクイズ問題に対し、テキスト・バッファに一時保存している主語と同じテキスト・データが主語群に既に保存していないかを主語検索装置３９をもって検索する。
一時保存している主語と同じテキスト・データがクイズ・サーバ内の正解と同じテキスト・データを持つクイズ問題に保存していない場合は、一時保存しているクイズ問題をひとつのクイズとして関連付ける情報を関連付け装置（４０）によって個々のデータに付し、さらに時間付け装置４１によって同じ保存日時を個々のデータに付し、さらに登録者のＩＤコードを付して保存装置４２によってクイズ・サーバ３０に保存する。
一時保存している正解と主語を示す各テキスト・データがクイズ・サーバ３０に既に保存している場合は、登録させようとするクイズ問題と同じクイズ問題が既にクイズ・サーバ３０に登録していると判断し、登録を許可しないクイズ問題の重複登録防止及びテキスト・データ登録システムである。
【００１６】
図３において、クイズ・サーバ内に会員登録とＩＤ割付・送信と会員確認とクイズ入力とクイズ入力漏れ検査とクイズ問題一時保存と不適切用語検査と正解検査と主語検査と関連付けと時間付けと保存に関するプログラムを収納するプログラム収納領域Ａと、クイズ問題の主語をテキスト・データとして収納する主語収納領域Ｂと、クイズ問題の接続詞をテキスト・データとして収納する接続詞収納領域Ｃと、クイズ問題の本文をテキスト・データとして収納する本文収納領域Ｄと、クイズ問題の疑問詞をテキスト・データとして収納する疑問詞収納領域Ｅと、クイズ問題の正解をテキスト・データとして収納する正解収納領域Ｆと、クイズ問題の間違った回答ｎ１をテキスト・データとして収納する間違った回答ｎ１収納領域Ｇと、クイズ問題の間違った回答ｎ２をテキスト・データとして収納する間違った回答ｎ２収納領域Ｈと、クイズ問題の間違った回答ｎ３をテキスト・データとして収納する間違った回答ｎ３収納領域Ｉと、クイズ問題の間違った回答ｎ４をテキスト・データとして収納する間違った回答ｎ４収納領域Ｊを個別に収納しているクイズ・サーバ３０の概念図である。
【００１７】
図４において、クイズ問題登録者が自らの端末機を用いてインターネットを通じてクイズ・サーバに接続する（登録サーバ接続ステップＳ２１）。
クイズ入力フォームを表示し、クイズ問題を主語と接続詞と本文と疑問詞と正解とｎ個の間違った回答を個別にテキスト入力させる（クイズ入力ステップＳ３４）。
テキスト入力された主語と接続詞と本文と疑問詞と正解とｎ個数の間違った回答を個別にテキスト・バッファへ一時保存する（一時保存ステップＳ３６）。
一時保存している正解と同じテキスト・データを持つクイズ問題が既にクイズ・サーバに保存していないかを検査する（正解検査ステップＳ３８）。
正解と同じテキスト・データを持つクイズ問題がクイズ・サーバ３０に保存していない場合は、一時保存した主語と接続詞と本文と疑問詞と正解とｎ個数の間違った回答をクイズ・サーバに保存する（保存ステップＳ４２）。
既にクイズ・サーバに正解と同じテキスト・データを持つクイズ問題を認めた場合は、認めたクイズ問題に対し、一時保存している主語と同じテキスト・データを持つクイズ問題があるかを検査する（主語検査ステップＳ３９）。
主語検査ステップＳ３９にて主語と同じテキスト・データを持つクイズ問題を認めなかった場合は、一時保存した主語と接続詞と本文と疑問詞と正解とｎ個数の間違った回答のテキスト・データをクイズ・サーバに保存する（保存ステップＳ４２）。
主語検査ステップＳ３９にて主語と同じテキスト・データを持つクイズを認めた場合は、既に同じクイズ問題を保存しており、クイズ問題登録を許可しないことをクイズ登録者の端末機に表示し、クイズ入力ステップＳ３４へ戻す拒否ステップＡ３９からなるクイズ問題を登録するまでの流れを示したクイズ問題の重複登録防止システムとテキスト・データ登録方法。
【００１８】
図５において、クイズ問題登録者に自らの端末機とインターネットを通じてクイズ・サーバに接続させる（登録サーバ接続ステップＳ２１）。
クイズ・サーバからクイズ問題登録者の端末機にテキスト入力ボックスを表示させ、クイズ問題登録者にＩＤとパスワードを入力させ、送信させると既に登録済みの会員であるかを差分し、確認する（会員登録確認ステップＳ３３）。
入力させたＩＤとパスワードを保存していない場合は、クイズ問題登録者の端末機に会員入会フォームを表示させる会員登録ステップＳ３１にて少なくとも名前と電子メール・アドレスとパスワードを入力させ、クイズ・サーバに送信させ、会員情報をクイズ・サーバに保存する。
【００１９】
会員登録を受け付けたクイズ・サーバは、過去に送信したＩＤとは異なるＩＤを割り付け、保存したクイズ問題登録者の電子メール・アドレスを用いて、ＩＤを送信する（ＩＤ割付・送信ステップＳ３２）。
会員登録確認にてＩＤとパスワードを保存していた場合は、クイズ問題登録者の端末機にクイズ入力フォームを表示させ、クイズ問題を主語と接続詞と本文と疑問詞と正解とｎ個の間違った回答を個別のテキスト・ボックスにテキスト入力させる（クイズ入力ステップＳ３４）。
【００２０】
クイズ入力ステップＳ３４にて登録ボタンを押させると受け付けたクイズ・サーバは、入力漏れがないかをテキスト・ボックスに未記入の状態を示すＮＵＬＬコードが送信されていないかを検索する（入力洩れ検査ステップＳ３５）。
ＮＵＬＬコードを受信しない場合は、主語と接続詞と本文と疑問詞と正解とｎ個数の間違った回答を個別にテキスト・バッファへテキスト・データとして一時保存する（一時保存ステップＳ３６）。
【００２１】
一時保存した主語と接続詞と本文と疑問詞と正解とｎ個数の間違った回答の中に不適切な言葉を含んでいないかをあらかじめクイズ・サーバ内に装備した辞書機能を用いて差分し、検査する（不適切用語検査ステップＳ３７）。
不適切な用語とは、昨日、今日、明日、昨年、今年、来年、あっち、こっち、向こうなど、クイズ問題が出題される時によっては不適当となる言葉の一群を指し、システム管理者によってテキスト・データとして辞書の中に蓄えているものであり、クイズ問題を読む者に不快な感覚を与える差別用語なども不適切用語として辞書の中に蓄えている。
一時保存した主語と接続詞と本文と疑問詞と正解とｎ個数の間違った回答の中に不適切な言葉を含む場合は、出題に不適切な用語が含まれているとクイズ問題登録者の端末機に表示させ、クイズ入力ステップＳ３４の入力フォームを再びクイズ問題登録者の端末機に表示させる。
【００２２】
一時保存した主語と接続詞と本文と疑問詞と正解とｎ個数の間違った回答の中に不適切な言葉が含まれていない場合は、一時保存している正解と同じテキスト・データを持つクイズ問題が既にクイズ・サーバに保存していないかテキスト・データを用いて差分し、検査する（正解検査ステップＳ３８）。
一時保存している正解と同じテキスト・データを持つクイズ問題がクイズ・サーバに既に保存していない場合は、一時保存した主語と接続詞と本文と疑問詞と正解とｎ個数の間違った回答がひとつのクイズ問題であることを関連付けるコードを各テキスト・データに付す関連付けステップＳ４０と同じ保存日時であるコードを各テキスト・データに付す時間付けステップＳ４１と登録者ＩＤと共にクイズ・サーバに保存する（保存ステップＳ４２）。
既にクイズ・サーバに一時保存している正解と同じテキスト・データを持つクイズ問題を保存していた場合は、同じ正解を持つクイズ問題に対し、一時保存している主語と同じテキスト・データを持つクイズ問題が認められるかを差分し、検査する（主語検査ステップＳ３９）。
【００２３】
主語検査ステップＳ３９にて主語と同じテキスト・データを持つクイズ問題を既に保存していない場合は、一時保存した主語と接続詞と本文と疑問詞と正解とｎ個数の間違った回答がひとつのクイズ問題であることを関連付けるコードを各テキスト・データに付す関連付けステップＳ４０と同じ保存日時であるコードを一時保存しているテキスト・データに付す時間付けステップＳ４１と登録者ＩＤと共にクイズ・サーバに保存する（保存ステップＳ４２）。
主語検査ステップＳ３９にて一時保存している主語と同じテキスト・データを持つクイズを認めた場合は、既に同じクイズ問題を保存しており、クイズ問題登録を許可しないことをクイズ問題登録者の端末機に表示し、クイズ入力ステップＳ３４へ戻す拒否ステップＡ３９からなるクイズ問題の重複登録防止システムとテキスト・データ登録方法。
【００２４】
図６において、登録しようとするクイズ問題を主語３４−１０と接続詞３４−２０と本文３４−３０と疑問詞３４−４０と正解３４−５０と間違った回答３４−５１と間違った回答３４−５２と間違った回答３４−５３と間違った回答３４−５４にわけ、個別の入力ボックスにテキスト入力させるようにしたクイズ問題登録フォーム例である。
出典３４−６０は、クイズ問題の整合性をクイズ挑戦者に示すためのものであり、回答を間違えた挑戦者の端末機に表示するためのものである。
例えば、インターネットのサイト名、あるいは新聞や雑誌名である。また場所３４−６１の入力ボックスはクイズの出典を確認するための場所を示すものであり、例えばインターネットのＵＲＬ、あるいは全国紙もしくは地方紙の区別と日付や紙面などである。
これら出典３４−６０及び場所３４−６１については、必須項目ではない。
【００２５】
図７において、主語入力ボックス３４−１０に「坂本竜馬」と入力させ、接続詞入力ボックス３４−２０に「が」と入力させ、本文入力ボックス３４−３０に「亡くなったのは」と入力させ、疑問詞入力ボックス３４−４０に「いつですか？」と入力させ、正解入力ボックス３４−５０に「１８６７年」と入力させ、間違った答え（１）入力ボックス３４−５１に「１８３５年」と入力させ、間違った答え（２）入力ボックス３４−５２に「１８４５年」と入力させ、間違った答え（３）入力ボックス３４−５３に「１８５７年」と入力させ、間違った答え（４）入力ボックス３４−５４に「１８７７年」と入力させ、出典を示す出典入力ボックス３４−６０に「インターネット」と入力させ、出典場所を示す場所入力ボックス３４−６１に「ｈｔｔｐ：／／ｗｗｗ．ａｂｃｄｅｆｇ．ｃｏｍ／」と入力させた状態を示している図６のクイズ問題登録フォームにテキスト入力した例である。
【００２６】
図８において、クイズ挑戦者の端末機にクイズ問題の累計出題数である「問題００１」を表示し、図７にて主語入力ボックス３４−１０にてテキスト入力させた「坂本竜馬」と接続詞入力ボックス３４−２０にテキスト入力させた「が」と本文入力ボックス３４−３０にテキスト入力させた「亡くなったのは」と疑問詞入力ボックス３４−４０にテキスト入力させた「いつですか？」をつなぎ、クイズ問題として完成させて表示させる。
さらに第一回答候補欄（１）に正解入力ボックス３４−５０にテキスト入力させた「１８６７年」を表示させ、第二回答候補欄（２）に間違った答え（１）入力ボックス３４−５１にテキスト入力させた「１８３５年」を表示させ、第三回答候補欄（３）に間違った答え（２）入力ボックス３４−５２にテキスト入力させた「１８４５年」を表示させ、第四回答候補欄（４）に間違った答え（３）入力ボックス３４−５３にテキスト入力させた「１８５７年」を表示させ、第五回答候補欄（５）に間違った答え（４）入力ボックス３４−５４にテキスト入力させた「１８７７年」を表示させた出題画面例である。
クイズ出題時にクイズ・サーバにて出題可能なクイズ問題から乱数表によって無作為にクイズ問題を選択し、出題すると共に第一回答候補欄（１）と第二回答候補欄（２）と第三回答候補欄（３）と第四回答候補欄（４）と第五回答候補欄（５）に表示される回答候補は、出題するごとに無作為に入れ替えるものとする。
【００２７】
本発明におけるクイズ問題登録者の端末機とは、情報通信網を通じてデジタルデータの送受信が行える機器を指し、携帯電話とコンピュータと移動体通信端末機とケーブル・テレビとゲーム機器を含む。
本発明で示す正解及び主語に当たる部分は、疑問詞と主語あるいは、正解と本文あるいは、主語と本文に置き換えても良い。またその順序も先に主語を検査した後、同じ主語を持つクイズ問題を対象に登録しようとする問題の正解と同じものが認められるかを検査しても良く、順序及び組み合わせは、正解と主語には限らない。
またクイズ問題を一時保存するテキスト・バッファは、メモリーやキャッシュを利用しても良い。
本発明を利用すると従来のクイズのコンテンツだけでなく、たとえば大学試験における一分野なども模擬試験として利用が可能である。
毎年、受験に合格した者が問題を作成し、本発明を利用してクイズを登録し、受験生は、データベースから出題される問題に答えることにより、遠隔地においてもあるいは夜間や早朝であっても自由に学習することが可能になる。
【００２８】
センター試験の国語を例に説明する。
直近の大学受験合格者に自らのコンピュータを用いてクイズ・サーバに接続させ、名前と電子メール・アドレスとパスワードをテキスト入力させ会員登録を行わせる。
サーバが送信したＩＤと自ら設定したパスワードを用いてクイズ・サーバに接続させると端末機にクイズ登録フォームを表示させる。
主語の欄に「我輩」、接続詞の欄に「は」、本文の欄に「猫である。を記したのは」、疑問詞の欄に「誰か」、正解の欄に「夏目漱石」、間違った答え１に「森鴎外」、間違った答え２に「二葉亭四迷」、間違った答え３に「菊池寛」、間違った答え４に「太宰治」とそれぞれテキスト入力させる。
登録ボタンを押させると受信したクイズ・サーバがテキスト・バッファに一時保存を行い、一時保存したテキスト・データを内蔵している辞書機能と差分し、不適切な用語を含んでいないかを検査する。
含んでいない場合は、正解である「夏目漱石」をクイズ・サーバ内の正解群とテキスト・データを用いて差分し、夏目漱石を示すテキスト・データを持つクイズ問題を保存していない場合は、一時保存しているクイズ問題をひとつのクイズ問題とする関連付け情報と同じ保存日時情報とＩＤを付して保存する。
「夏目漱石」を示すテキスト・データがクイズ・サーバ内に既に保存していた場合は、「夏目漱石」を正解とするクイズ問題を対象に一時保存している中から主語である「我輩」を示すテキスト・データを差分し、検査する。
正解を「夏目漱石」とし、主語を「我輩」とするクイズ問題を保存していない場合は、クイズ・サーバに一時保存している各テキスト・データをひとつのクイズ問題とする関連付け情報と同じ保存日時情報とＩＤを付して保存する。
「我輩」を示すテキスト・データと同じものをクイズ・サーバ内に保存していた場合は、主語である「我輩」と正解である「夏目漱石」が既にひとつのクイズ問題としてクイズ・サーバに保存していることから同じクイズ問題であると判断し、クイズ問題の登録を許可しない。
【００２９】
次に携帯電話を例に説明する。
携帯電話を用いてクイズ・サーバに接続させ、名前と電子メール・アドレスとパスワードをテキスト入力させ会員登録を行わせる。
クイズ・サーバが送信したＩＤと自ら設定したパスワードを用いてクイズ・サーバに接続させると端末にクイズ登録フォームを表示させる。
主語の欄に「樋口一葉」、接続詞の欄に「が」、本文の欄に「載っている札は」、疑問詞の欄に「どれか」、正解の欄に「五千円札」、間違った答え１に「一万円札」、間違った答え２に「二千円札」、間違った答え３に「千円札」、間違った答え４に「五百円札」とそれぞれテキスト入力させる。
登録ボタンを押させるとクイズ問題を受信したクイズ・サーバは、一時保存装置を用いて、個別のテキスト・データをテキスト・バッファに保存する。一時保存したテキスト・データをクイズ・サーバ内の辞書機能と差分し、不適切な用語を示すテキスト・データを含んでいないかを検査する。
不適切な用語を含む場合は、不適切な用語が用いられていることをクイズ登録者の端末機に表示し、クイズ登録フォームを表示させる。
不適切な用語を含んでいない場合は、正解である「五千円札」を示すテキスト・データと同じ正解を持つクイズ問題がクイズ・サーバ内の正解群に既に保存していないかを検査し、保存していない場合は、一時保存している個々のテキスト・データに対してひとつのクイズ問題とする関連付け情報と同じ保存日時情報とＩＤを付してクイズ・サーバに保存する。
既に「五千円札」を示すテキスト・データがクイズ・サーバに保存していた場合は、「五千円札」を正解とするクイズ問題を対象に主語である「樋口一葉」を意味するテキスト・データを差分し、検査する。
「樋口一葉」を意味するテキスト・データをクイズ・サーバに保存していない場合は、一時保存している個々のテキスト・データをひとつのクイズ問題とする関連付け情報と同じ保存日時情報とＩＤを付してクイズ・サーバに保存する。
「樋口一葉」を意味するテキスト・データを認めた場合は、主語である「樋口一葉」と正解である「五千円札」が既にひとつのクイズ問題としてクイズ・サーバに保存していることから同じクイズ問題であると判断し、クイズ問題の登録を拒否する。
【産業上の利用可能性】
【００３０】
本発明は、不特定多数の者がクイズ問題を個別に作成し、インターネットを通じてクイズ・サーバに登録するものであり、登録する際においてはコンピュータを用いることが理想的であるが、携帯電話あるいはケーブル・テレビでも可能である。
またクイズ挑戦者の立場に立てば、携帯電話を用いることがもっとも簡便で利便性が高いがコンピュータあるいはケーブル・テレビでも可能である。
利用者はどこでも、いつでも学習できるようになるとともに簡便な模擬テストは携帯電話で行えるようになる。
ゲームセンターにおける機器をインターネットにつなぐことで新たな知的ゲームを提供することも可能である。
またクイズ問題を登録し、著作権料を得られるようになれば、高齢者から障害者まで多くの方が楽しみながら収入を得られ、学生の就労形態にも新たな可能性を示すこととなる。
【図面の簡単な説明】
【００３１】
【図１】クイズ登録システムの基本的システム構成を示す図である
【図２】クイズ登録システムの理想的システム構成を示す図である
【図３】クイズを登録するサーバにおけるサーバ内の概念図である
【図４】クイズ登録方法を示す基本的なフローチャートである
【図５】クイズ登録方法を示す理想的なフローチャートである
【図６】クイズ問題登録フォーム例である
【図７】クイズ問題登録フォームに入力した例である
【図８】クイズ出題画面例である
【符号の説明】
【００３２】
１０    クイズ登録者用端末
２０    インターネット通信網
３０    クイズ・サーバ
３１    会員登録装置
３２    ＩＤ割付・送信装置
３３    会員確認装置
３４    クイズ入力装置
３５    クイズ入力洩れ検査装置
３６    クイズ一時保存装置
３７    不適切用語検査装置
３８    正解検査装置
３９    主語検査装置
４０    関連付け装置
４１    時間付け装置
４２    保存装置
Ａ      プログラム収納領域
Ｂ      主語収納領域
Ｃ      接続詞収納領域
Ｄ      本文収納領域
Ｅ      疑問詞収納領域
Ｆ      正解収納領域
Ｇ      間違った回答ｎ
Ｈ      間違った回答ｎ２収納領域
Ｉ      間違った回答ｎ３収納領域
Ｊ      間違った回答ｎ４収納領域
Ｓ２１  登録サーバ接続ステップ
Ｓ３１  会員登録ステップ
Ｓ３２  ＩＤ割付・送信ステップ
Ｓ３３  会員登録確認ステップ
Ｓ３４  クイズ入力ステップ
Ｓ３５  入力漏れ検査ステップ
Ｓ３６  一時保存ステップ
Ｓ３７  不適切用語検査ステップ
Ｓ３８  正解検査ステップ
Ｓ３９  主語検査ステップ
Ａ３９  クイズ登録拒否ステップ
Ｓ４０  関連付けステップ
Ｓ４１  時間付けステップ
Ｓ４２  保存ステップ
３４−１０  主語入力ボックス
３４−２０  接続語入力ボックス
３４−３０  本文入力ボックス
３４−４０  疑問詞入力ボックス
３４−５０  正解入力ボックス
３４−５１  間違った回答ｎ１入力ボックス
３４−５２  間違った回ｎ２入力ボックス
３４−５３  間違った回ｎ３入力ボックス
３４−５４  間違った回ｎ４入力ボックス
３４−６０  出典入力ボックス
３４−６１  出典場所入力ボックス
【図１】
2006023708.tif 000003
【図２】
2006023708.tif 000004
【図３】
2006023708.tif 000005
【図４】
2006023708.tif 000006
【図５】
2006023708.tif 000007
【図６】
2006023708.tif 000008
【図７】
2006023708.tif 000009
【図８】
2006023708.tif 000010